(57)【要約】タッチパネル装置において、ユーザによる斜め方向へのスライド操作が行われた場合に、その時点で表示画面１１に表示されている内容のうち、前記スライド操作の始点Ｐａと終点Ｐｂを対角とする長方形であって、そのいずれか一辺が前記表示画面のいずれか一辺と平行である仮想的な長方形より囲まれた範囲が、表示画面１１上の予め定められた領域１２いっぱいに拡大して表示されるようにする。これにより、マルチタッチに対応していないタッチパネル装置においても、直感的な表示拡大操作が可能となる。
2018179552.tif 000002
【特許請求の範囲】
【請求項１】
a)長方形の表示画面を備えた表示手段と、
b)ユーザによる前記表示画面へのタッチに応じてタッチ位置を示す信号を発生するタッチセンサと、
c)前記信号に基づき、前記表示画面上でユーザによるタッチ位置の斜め方向へのスライド操作が行われたか否かを判定するスライド操作判定手段と、
d)前記スライド操作判定手段により、斜め方向へのスライド操作がなされたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう、前記表示手段を制御する表示拡大手段と、
を有することを特徴とするタッチパネル装置。
【請求項２】
更に、
e)前記スライド操作が行われている間に、該スライド操作の始点とユーザによる現在のタッチ位置を対角とする長方形であって、そのいずれか一辺が前記表示画面のいずれか一辺と平行である長方形を表す枠を、その時点における前記表示画面の表示内容に重畳して表示するよう、前記表示手段を制御する範囲指定枠表示手段、
を有することを特徴とする請求項１に記載のタッチパネル装置。
【請求項３】
前記表示拡大手段が、前記仮想的な長方形により囲まれた範囲に表示されている内容を、前記表示画面上の予め定められた領域いっぱいに表示するよう、前記表示手段を制御するものであることを特徴とする請求項１に記載のタッチパネル装置。
【請求項４】
前記表示拡大手段が、前記仮想的な長方形により囲まれた範囲に表示されている内容を、予め定められた拡大倍率、又は前記スライド操作後にユーザにより指示された拡大倍率で表示するよう、前記表示手段を制御するものであることを特徴とする請求項１に記載のタッチパネル装置。
【請求項５】
長方形の表示画面を備えた表示手段と、ユーザによる前記表示画面へのタッチに応じてタッチ位置を示す信号を発生するタッチセンサとを備えたタッチパネル装置における画面表示を制御する方法であって、
a)前記信号に基づき、前記表示画面上でユーザによるタッチ位置の斜め方向へのスライド操作が行われたか否かを判定する第１のステップと、
b)前記第１のステップにおいて、斜め方向へのスライド操作が行われたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう前記表示手段を制御する第２のステップと、
を有することを特徴とするタッチパネル装置の表示制御方法。
【請求項６】
長方形の表示画面を備えた表示手段と、ユーザによる前記表示画面へのタッチに応じてタッチ位置を示す信号を発生するタッチセンサとを備えたタッチパネル装置における画面表示を制御するプログラムであって、コンピュータに、
a)前記信号に基づき、前記表示画面上でユーザによるタッチ位置の斜め方向へのスライド操作が行われたか否かを判定する判定処理と、
b)前記判定処理において、斜め方向へのスライド操作が行われたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう前記表示手段を制御する表示拡大処理と、
を実行させることを特徴とするプログラム。
【発明の詳細な説明】
【技術分野】
【０００１】
本発明は、タッチパネル装置、その表示制御方法、及びプログラムに関する。
【背景技術】
【０００２】
タッチパネル装置は、画面上に画像や文字等を表示すると共に、ユーザが指やペン等で画面に触れることによりコンピュータへの入力操作が可能な装置であり、スマートフォンやタブレット、銀行のＡＴＭや駅の券売機などで広く用いられている（特許文献１を参照）。こうしたタッチパネル装置は、液晶ディスプレイ（Liquid Crystal Display、LCD）等から成る表示装置と、該表示装置の画面上に設けられ、画面上でユーザが触れた位置を検知するためのタッチセンサとを備えており、タッチセンサによる検知機構の違いにより複数の方式に分類される。【０００３】
例えば、静電容量方式のタッチパネル装置は、指や専用のタッチペンが画面に触れることによる静電容量の変化に基づいて入力位置を検出するものであり、表面型と投影型とよばれる二つの種類がある。このうち、近年スマートフォンなどで広く使用されている投影型のものは、タッチセンサとしてマトリクス状に配列された多数の透明電極から成る二層の電極層を透明基板の上に配置し、該電極層の上にガラス等の絶縁体から成るカバーを設けて成るものを備えており、指などを画面に近づけた際における前記多数の透明電極における静電容量の変化に基づいて入力位置の座標が特定される。【０００４】
こうした投影型静電容量方式のタッチパネル装置は、画面に軽く触れるだけで入力が検知されると共に、多点同時検出を行うことができる（すなわちマルチタッチに対応できる）という特性を有している。そのため、画面を指でタッチすることで画面上に表示された文字やボタン等を選択する操作（タッチ操作）だけでなく、画面上で指を滑らせることで表示画面のスクロール等を行う操作（スライド操作）や、画面上に置いた２本の指を互いに離したり近づけたりすることで表示画像を拡大・縮小表示させる操作（ピンチアウト操作及びピンチイン操作）などの多様な入力操作を行うことができる。その一方で、投影型静電容量方式のタッチパネル装置は、構造が複雑で製造コストが高い、ゴム手袋などの絶縁物を介した操作が行えない、水滴の付着により誤作動が起こるため水を使う設備での使用に適さないといった短所を有している。【０００５】
一方、銀行のＡＴＭや駅の自動券売機などで広く使用されている抵抗膜方式（感圧式ともよばれる）のタッチパネル装置は、タッチセンサとして、それぞれ透明電極膜を備えたガラス基板と透明フィルムとを透明電極膜同士を対向させ且つ互いに離間させた状態で配置した構成のものを備えている。このタッチセンサにおいて、一方の透明電極膜のＸ方向の両端と他方の透明電極膜のＹ方向の両端（又は一方の透明電極の四隅）にはそれぞれ電圧が掛けられており、前記透明フィルムの表面が指などで押下されると、押下された位置で透明電極膜同士が接触して両者の間に電流が流れる。そこで、このときのＸ方向の電圧値とＹ方向の電圧値を検出することにより入力位置の座標を特定することができる。【０００６】
こうした抵抗膜方式のタッチパネル装置は、その原理上、多点同時検出を行うことはできない（すなわちマルチタッチに対応していない）。しかし、構造が単純で低コストに製造できると共に、ゴム手袋などの絶縁物を介した操作が可能であり、更に水滴の付着による誤作動も生じないため、例えば、ポータブル型の分析機器や水質分析等を行う環境測定機器などのタッチパネルには、この方式を採用したものが多い。
【先行技術文献】
【特許文献】
【０００７】
【特許文献１】特開2016-126455号公報（[0002]-[0005]）
【発明の概要】
【発明が解決しようとする課題】
【０００８】
上記の通り、抵抗膜方式のタッチパネル装置はマルチタッチに対応していないため、ピンチアウトによる画像の拡大操作を行うことはできない。代わりに、例えば拡大したい範囲や拡大率をユーザに数値で入力させる方法が採られる場合があるが、これは直感的な操作でなく、更に入力操作に時間が掛かるという難点もあった。【０００９】
なお、こうした問題は感圧式に限らず、マルチタッチに対応していないタッチパネル（例えば表面型静電容量方式のタッチパネルなど）に共通するものである。【００１０】
本発明は上記の点に鑑みて成されたものであり、その目的とするところは、マルチタッチに対応していないタッチパネル装置であっても直感的な表示拡大操作を可能とすることにある。
【課題を解決するための手段】
【００１１】
上記課題を解決するために成された本発明に係るタッチパネル装置は、
a)長方形の表示画面を備えた表示手段と、
b)ユーザによる前記表示画面へのタッチに応じてタッチ位置を示す信号を発生するタッチセンサと、
c)前記信号に基づき、前記表示画面上でユーザによるタッチ位置の斜め方向へのスライド操作が行われたか否かを判定するスライド操作判定手段と、
d)前記スライド操作判定手段により、斜め方向へのスライド操作がなされたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう、前記表示手段を制御する表示拡大手段と、
を有することを特徴としている。【００１２】
本発明において、タッチセンサは、前記表示画面上に貼り付けられる透明なシート状のものであってもよく、あるいは、前記表示画面の周縁部に配置されるものであってもよい。また、タッチ位置の斜め方向へのスライド操作とは、ユーザが表示画面上の一点をタッチし、タッチ状態を維持したままタッチ位置を前記表示画面のいずれの辺とも平行でない方向に摺動させる操作を意味する。【００１３】
上記構成から成る本発明に係るタッチパネル装置によれば、ユーザが表示画面を指やタッチペンなどで斜めになぞるだけで、該表示画面上の任意の範囲（指定範囲）が選択され、当該指定範囲に表示されている内容が拡大して表示される。そのため、従来のように数値入力によって拡大範囲を指定する必要がなく、簡便且つ直感的な表示拡大操作が可能となる。【００１４】
前記本発明に係るタッチパネル装置は、更に、
e)前記スライド操作が行われている間に、該スライド操作の始点とユーザによる現在のタッチ位置を対角とする長方形であって、そのいずれか一辺が前記表示画面のいずれか一辺と平行である長方形を表す枠を、その時点における前記表示画面の表示内容に重畳して表示するよう、前記表示手段を制御する範囲指定枠表示手段、
を有するものとすることが望ましい。【００１５】
このような構成によれば、ユーザが、前記長方形の枠を視認することにより、拡大表示の対象とする領域の位置及び大きさを確認しながらスライド操作を行うことができるため、より直感的な操作が可能となる。【００１６】
本発明に係るタッチパネル装置は、前記表示拡大手段が、
前記仮想的な長方形により囲まれた範囲（指定範囲）に表示されている内容を、前記表示画面上の予め定められた領域（所定領域）いっぱいに表示するよう、前記表示手段を制御するものとすることができる。【００１７】
このような構成によれば、斜め方向へのスライド操作により決定された指定範囲の大きさと、前記所定領域の大きさとの比率から自動的に拡大率が決定されるため、ユーザが別途拡大率を指定する必要がなく、簡便に表示拡大操作を行うことができる。なお、所定領域は、表示画面の全域であってもよい。【００１８】
また、所定領域は必ずしも長方形でなくてもよい。この場合、該所定領域からはみ出す部分が生じない最大の拡大率で指定範囲を拡大し、前記所定領域の余った部分は余白としたり、あるいは、余白ができない最小の拡大率で指定範囲を拡大し、前記所定領域からはみ出した部分はカットしたりすることが考えられる。【００１９】
また、所定領域が長方形である場合も、該所定領域の縦横比と、上述の指定範囲の長方形の縦横比とは一致しないことが多い。その場合、両者の縦横比が一致するように、縦方向と横方向とで異なる拡大率を適用するようにしてもよいが、拡大前後で縦横比が変化しないよう、縦方向と横方向で同一の拡大率を適用する方がより望ましい。縦横比を維持して拡大する場合には、例えば、拡大後の表示内容の一部を切り捨てるか、拡大後の表示内容の上下方向又は左右方向に余白を設けた上で、表示画面に表示する。【００２０】
また、本発明に係るタッチパネル装置は、前記表示拡大手段が、
前記仮想的な長方形により囲まれた範囲に表示されている内容を、予め定められた拡大倍率、又は前記スライド操作後にユーザにより指示された拡大倍率で表示するよう、前記表示手段を制御するものとすることもできる。【００２１】
また、本発明に係るタッチパネル装置の表示制御方法は、長方形の表示画面を備えた表示手段と、ユーザによる前記表示画面へのタッチに応じてタッチ位置を示す信号を発生するタッチセンサとを備えたタッチパネル装置における画面表示を制御する方法であって、
a)前記信号に基づき、前記表示画面上でユーザによるタッチ位置の斜め方向へのスライド操作が行われたか否かを判定する第１のステップと、
b)前記第１のステップにおいて、斜め方向へのスライド操作が行われたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう前記表示手段を制御する第２のステップと、
を有することを特徴としている。【００２２】
また、本発明に係るプログラムは、長方形の表示画面を備えた表示手段と、ユーザによる前記表示画面へのタッチに応じてタッチ位置を示す信号を発生するタッチセンサとを備えたタッチパネル装置における画面表示を制御するプログラムであって、
コンピュータに、
a)前記信号に基づき、前記表示画面上でユーザによるタッチ位置の斜め方向へのスライド操作が行われたか否かを判定する判定処理と、
b)前記判定処理において、斜め方向へのスライド操作が行われたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう前記表示手段を制御する表示拡大処理と、
を実行させることを特徴としている。
【発明の効果】
【００２３】
以上で説明したように、本発明に係るタッチパネル装置、その表示制御方法、及びプログラムによれば、マルチタッチに対応していないタッチパネル装置であっても直感的な表示拡大操作が可能となる。
【図面の簡単な説明】
【００２４】
【図１】本発明の一実施例に係るタッチパネル装置の要部構成を示すブロック図。
【図２】前記タッチパネル装置において斜め方向へのスライド操作がなされた際の動作を示すフローチャート。
【図３】拡大前の画面表示を示す図。
【図４】ユーザによるスライド操作と該操作中における画面表示を説明する図。
【図５】拡大後の画面表示を示す図。
【発明を実施するための形態】
【００２５】
以下、本発明を実施するための形態について実施例を挙げて説明する。
【実施例】
【００２６】
図１は、本発明の一実施例に係るタッチパネル装置の要部構成を示すブロック図である。本実施例に係るタッチパネル装置は、ＬＣＤ等の既知の表示装置から成る長方形の表示画面を備えた表示部１０と、表示部１０の画面全域を覆うように配置された抵抗膜方式のタッチセンサ２０と、これらを制御する制御部３０とを備えている。【００２７】
制御部３０の実体は、コンピュータであり、中央演算処理装置であるＣＰＵ（Central Processing Unit）３１と、ＲＡＭ（Random Access Memory）から成るメモリ３２と、ＨＤＤ（Hard Disc Drive）、ＳＳＤ（Solid State Drive）、ＲＯＭ（Read Only Memory）、又はフラッシュメモリ等の不揮発性記憶装置から成る記憶部３３と、外部機器と通信するための入出力部３４とを備えている。【００２８】
記憶部３３には、表示制御プログラム４０（本発明に係るプログラムに相当）が記憶されている。なお、表示制御プログラムは必ずしも単体のプログラムである必要はなく、例えば表示部１０及びタッチセンサ２０を制御するためのプログラムの一部に組み込まれた機能であってもよく、その形態は特に問わない。【００２９】
図１に描かれているように、表示制御プログラム４０には、座標特定部４１、スライド操作判定部４２、範囲決定部４３、グラフィック生成部４４、倍率決定部４５、及び表示制御部４６が含まれている。これらはいずれもＣＰＵ３１が表示制御プログラム４０をメモリ３２に読み出して実行することによってソフトウェア的に実現される機能ブロックである。【００３０】
座標特定部４１は、タッチセンサ２０が検知した入力信号を、入出力部３４を介して取得し、該入力信号に基づいて、表示部１０の画面上でユーザによるタッチ操作がなされた位置の座標を特定する。スライド操作判定部４２は、座標特定部４１により特定された座標の時間変化に基づいてユーザによる斜め方向へのスライド操作が行われたか否かを判定する。範囲決定部４３は、スライド操作の始点及び現在のタッチ位置からユーザによる指定範囲を決定する。グラフィック生成部４４は、前記指定範囲を表すグラフィックを生成する。倍率決定部４５は、指定範囲の大きさ等に基づいて拡大倍率を決定する。表示制御部４６は、入出力部３４を介して表示部１０に制御信号を送出することにより、グラフィック生成部４４で生成されたグラフィックを表示部１０の画面上に表示させたり、前記スライド操作により指示された範囲を拡大表示させたりする。なお、範囲決定部４３、倍率決定部４５、及び表示制御部４６が、協同して本発明における表示拡大手段として機能し、範囲決定部４３、グラフィック生成部４４、及び表示制御部４６が、協同して本発明における範囲指定枠表示手段として機能する。【００３１】
以下、本実施例のタッチパネル装置における拡大表示の実行手順について図２〜図５を参照しつつ説明する。図２は、拡大表示の実行手順を示すフローチャートである。図３〜図５は、表示部１０による画面表示の例を示す図である。なお、表示部１０の画面１１上にはタッチセンサ２０が重ねて配置されているが、タッチセンサ２０は透明であるため図３〜図５では図示を省略している。【００３２】
図３は、ユーザによるスライド操作がなされる前（これを「初期状態」とよぶ）の画面表示の一例を示している。この画面表示では、表示対象のデータ群をグラフ形式で表示するグラフ表示領域１２と、該データ群をテーブル形式で表示するテーブル表示領域１３と、複数のＧＵＩボタン１４ａ〜１４ｄが表示されている。ＧＵＩボタン１４ａ〜１４ｄのうち、「閉じる」と表示されたボタン１４ａにユーザがタッチすると現在の画面表示が閉じられて直前に表示されていた画面が表示される。また、「設定」と表示されたボタン１４ｃにタッチするとユーザから各種の設定を受け付けるための設定画面が表示され、「ヘルプ」と表示されたボタン１４ｄにタッチするとヘルプ画面が表示される。なお、「戻る」と表示されたボタン１４ｂは、この時点では無効となっている。【００３３】
初期状態において、グラフ表示領域１２には、表示対象のデータ群を表したグラフが、その全体を見やすい大きさで表示されている。この状態でユーザが画面１１にタッチすると、そのタッチ位置を示す信号がタッチセンサ２０から制御部３０へと送出され、座標特定部４１により前記信号に基づいて、画面１１上における、ユーザのタッチ位置の座標が特定される。なお、ここでは画面１１の左上を原点とするＸＹ座標が設定されており、ユーザがタッチ状態を維持したまま画面１１上で斜め方向に指を滑らせると、前記座標特定部４１で特定されるＸ座標とＹ座標の双方が時々刻々と変化する。スライド操作判定部４２は、座標特定部４１で特定された座標を監視し、このような座標の時間変化があった場合に斜め方向へのスライド操作が開始されたと判定する（ステップＳ１１でＹｅｓ）。【００３４】
すると、範囲決定部４３が、座標特定部４１から前記スライド操作の始点の座標と現在のタッチ位置の座標を取得し（ステップＳ１２、Ｓ１３）、表示部１０の画面上において、これら二つの座標位置を対角とする長方形であって、そのいずれか一辺が前記表示画面のいずれか一辺と平行である仮想的な長方形で囲まれる範囲を現在の指定範囲として決定する（ステップＳ１４）。【００３５】
続いて、グラフィック生成部４４が前記指定範囲を表す長方形の枠状のグラフィックを生成し、表示制御部４６が表示部１０を制御することにより、この枠（以下「範囲指定枠１５」とよぶ）のグラフィックを現在の画面表示に重畳させて表示する（ステップＳ１５、図４）。このとき、範囲指定枠１５の左上の頂点がスライド操作の始点Ｐａと一致し、範囲指定枠１５の右下の頂点が現在のタッチ位置Ｐｂと一致する。なお、図４中の始点Ｐａを表す白丸、現在のタッチ位置Ｐｂを表す黒丸、及びスライド操作の方向を示す白矢印は、説明のために示したものであり、実際の画面上に表示されるものではない。【００３６】
その後、画面１１上におけるタッチ位置が移動（ステップＳ１６）する毎に、ステップＳ１３〜Ｓ１５の処理が繰り返し実行され、これにより画面１１上に表示される範囲指定枠１５が順次更新される。【００３７】
その後、ユーザがタッチセンサから指を離すと、スライド操作判定部４２によってスライド操作が完了したと判定され（ステップＳ１７）、その時点における指定範囲、すなわちスライド操作の始点Ｐａと終点とを対角とする長方形であって、そのいずれか一辺が前記表示画面のいずれか一辺と平行である長方形で囲まれる範囲が最終的な指定範囲として確定される（ステップＳ１８）。【００３８】
続いて、倍率決定部４５が、グラフ表示領域１２の大きさとステップＳ１８で確定された指定範囲の大きさとに基づいて、指定範囲に含まれる表示内容をグラフ表示領域１２いっぱいに拡大表示するために必要な拡大倍率を決定する（ステップＳ１９）。ここで、指定範囲の縦横比がグラフ表示領域１２の縦横比と一致しない場合には、両者が一致するよう、ステップＳ１８で確定した指定範囲を縦方向又は横方向に自動的に拡張した上で、ステップＳ１９における拡大倍率の決定を行うようにしてもよい。あるいは、拡大後の指定範囲のサイズがグラフ表示領域１２のサイズと同一となるよう、縦方向と横方向で異なる拡大倍率を決定するようにしてもよい。またあるいは、縦横比を維持し且つグラフ表示領域１２からはみ出す部分がない範囲で最大の拡大率（「第１の拡大率」とよぶ）を決定したり、縦横比を維持し且つ余白ができない範囲で最小の拡大率（「第２の拡大率」とよぶ）を決定したりしてもよい。【００３９】
以上により、拡大倍率が決定されると、表示制御部４６が表示部１０を制御することにより、指定範囲に含まれている表示内容を、前記拡大倍率で拡大した上でグラフ表示領域１２に表示させる（ステップＳ２０）。これにより、図５に示すように、ユーザがスライド操作で指定した指定範囲（すなわち図４において範囲指定枠１５で囲まれた範囲）がグラフ表示領域１２いっぱいに拡がって表示される。なお、ステップＳ２０において、拡大倍率を前記第１の拡大率とした場合、拡大後のサイズがグラフ表示領域１２のサイズよりも小さくなるため、グラフ表示領域内に拡大表示された画像の上下又は左右に余白（画像のない領域）を設ける。また、ステップＳ２０において、拡大倍率を前記第２の拡大率とした場合、拡大後のサイズがグラフ表示領域１２よりも大きくなるため、拡大後の画像の上下方向又は左右方向の一部はカットされることとなる。【００４０】
このようにして拡大表示がなされると、「戻る」と表示されたＧＵＩボタン１４ｂが有効となり（図５）、ユーザが指などでこのＧＵＩボタン１４ｂにタッチすることにより、拡大表示を解除して初期状態（図３）に戻すことができる。また、こうしたＧＵＩボタン１４ｂを設ける代わりに、画面１１をダブルタップ（所定時間内に２回タップ）することで初期状態に戻るようにしてもよい。あるいは、拡大時とは逆に、画面１１上で右下から左上に向かってスライド操作することにより初期状態に戻るようにしてもよい。【００４１】
以上、本発明を実施するための形態について実施例を挙げて説明を行ったが、本発明は上記実施例に限定されるものではなく、本発明の趣旨の範囲で適宜変更が可能である。例えば、上記実施例では、スライド操作で指定された指定範囲を、画面１１上の一部の領域（上記の例ではグラフ表示領域１２）いっぱいに拡大表示するものとしたが、画面１１の全域いっぱいに拡大表示するようにしてもよい。また、上記実施例では、スライド操作で指定された指定範囲を、該指定範囲の大きさと表示画面上の予め定められた領域（上記の例ではグラフ表示領域１２）の大きさから求められる倍率で拡大表示するものとしたが、予め指定された倍率で拡大表示するようにしてもよい。また更に、スライド操作の完了後にユーザに拡大倍率を指定させ、その倍率で拡大表示するようにしてもよい。【００４２】
また、スライド操作により、画像拡大だけでなく、画像の縮小も指示できるようにしてもよい。この場合、例えば、ユーザが左上から右下に向けてスライド操作した場合は拡大表示を行い、右下から左上に向けてスライド操作した場合は縮小表示を行うものなどとすることができる。このようにスライド操作による縮小表示を行う場合も、該スライド操作の始点と終点を対角とする長方形であって、そのいずれか一辺が前記表示画面のいずれか一辺と平行である仮想的な長方形により囲まれる範囲を指定範囲とし、該指定範囲と画面上の予め定められた領域の大きさから算出される縮小率、あるいは予め定められた縮小率（又はスライド操作後にユーザが指定した縮小率）で縮小表示を行う。【００４３】
また、上記実施例では、タッチセンサ２０を抵抗膜方式のものとしたが、本発明におけるタッチセンサの方式はこれに限定されるものではなく、例えば、表面型容量結合方式のタッチセンサなど、マルチタッチに対応していない種々のタッチセンサを本発明におけるタッチセンサとして好適に用いることができる。【００４４】
なお、本発明に係るタッチパネル装置は、例えば試料分析や環境分析を行う分析部と、該分析部による分析結果を表示すると共にユーザによる入力を受け付けるタッチパネル装置とが一体に構成された分析装置、例えば、液体クロマトグラフ、ガスクロマトグラフ、水質分析装置、粉塵測定装置などに適用することができる。
【符号の説明】
【００４５】
１０…表示部
１１…画面
１２…グラフ表示領域
１３…テーブル表示領域
１４ａ〜１４ｄ…ＧＵＩボタン
１５…範囲指定枠
２０…タッチセンサ
３０…制御部
３１…ＣＰＵ
３２…メモリ
３３…記憶部
３４…入出力部
４０…表示制御プログラム
４１…座標特定部
４２…スライド操作判定部
４３…範囲決定部
４４…グラフィック生成部
４５…倍率決定部
４６…表示制御部
【図１】
2018179552.tif 000003
【図２】
2018179552.tif 000004
【図３】
2018179552.tif 000005
【図４】
2018179552.tif 000006
【図５】
2018179552.tif 000007
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
a)長方形の表示画面を備えた表示手段と、
b)ユーザによる前記表示画面へのタッチに応じてタッチ位置を示す信号を発生する抵抗膜方式のタッチセンサと、
c)前記信号に基づき、前記表示画面上でユーザによるタッチ位置の斜め方向へのスライド操作が行われたか否かを判定するスライド操作判定手段と、
d)前記スライド操作判定手段により、斜め方向へのスライド操作がなされたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう、前記表示手段を制御する表示拡大手段と、
を有するタッチパネル装置を備えた分析装置。
【請求項２】
更に、
e)前記スライド操作が行われている間に、該スライド操作の始点とユーザによる現在のタッチ位置を対角とする長方形であって、そのいずれか一辺が前記表示画面のいずれか一辺と平行である長方形を表す枠を、その時点における前記表示画面の表示内容に重畳して表示するよう、前記表示手段を制御する範囲指定枠表示手段、
を有する請求項１に記載のタッチパネル装置を備えた分析装置。
【請求項３】
前記表示拡大手段が、前記仮想的な長方形により囲まれた範囲に表示されている内容を、前記表示画面上の予め定められた領域いっぱいに表示するよう、前記表示手段を制御するものである請求項１に記載のタッチパネル装置を備えた分析装置。
【請求項４】
前記表示拡大手段が、前記仮想的な長方形により囲まれた範囲に表示されている内容を、予め定められた拡大倍率、又は前記スライド操作後にユーザにより指示された拡大倍率で表示するよう、前記表示手段を制御するものである請求項１に記載のタッチパネル装置を備えた分析装置。
【請求項５】
長方形の表示画面を備えた表示手段と、ユーザによる前記表示画面へのタッチに応じてタッチ位置を示す信号を発生する抵抗膜方式のタッチセンサとを備えたタッチパネル装置を有する分析装置における画面表示を制御する方法であって、
a)前記信号に基づき、前記表示画面上でユーザによるタッチ位置の斜め方向へのスライド操作が行われたか否かを判定する第１のステップと、
b)前記第１のステップにおいて、斜め方向へのスライド操作が行われたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう前記表示手段を制御する第２のステップと、
を有するタッチパネル装置を備えた分析装置の表示制御方法。
【請求項６】
長方形の表示画面を備えた表示手段と、ユーザによる前記表示画面へのタッチに応じてタッチ位置を示す信号を発生する抵抗膜方式のタッチセンサとを備えたタッチパネル装置を有する分析装置における画面表示を制御するプログラムであって、コンピュータに、
a)前記信号に基づき、前記表示画面上でユーザによるタッチ位置の斜め方向へのスライド操作が行われたか否かを判定する判定処理と、
b)前記判定処理において、斜め方向へのスライド操作が行われたと判定された場合に、その時点で前記表示画面に表示されている内容のうち、前記スライド操作の始点と終点を対角とする長方形であって、そのいずれか一辺が前記表示画面のいずれか一辺と平行である仮想的な長方形により囲まれた範囲を拡大して表示するよう前記表示手段を制御する表示拡大処理と、
を実行させることを特徴とするプログラム。
【国際調査報告】
2018179552.tif 000008
2018179552.tif 000009
2018179552.tif 000010
2018179552.tif 000011